(57)【要約】【課題】操作性がよく、しかも設置スペースも少なくて済む幼児用安全柵を提供すること。【解決手段】中間部に開口を有し、両側部が相対向する柱等の固定物に係止される枠体と、該枠体の一方の開口側縁に一方の側部が回動自在に支持され、他方の側部と前記枠体の他方の開口側縁との間に構成したロック手段によって着脱自在に支持される扉体とを備えた幼児用安全柵において、前記扉体の他方の側部を、前記枠体の前記他方の開口側縁との間を足が挿入するに十分な間隙を形成するとともに、前記他方の開口側縁の下部に前記間隙内で上下動するペダルを設置し、該ペダルで前記ロック手段のロックを解除するようにしたことを特徴としている。【選択図】　　　　図１
2004057685.tif 000002
【特許請求の範囲】
【請求項１】
中間部に開口を有し、両側部が相対向する柱等の固定物に係止される枠体と、該枠体の一方の開口側縁に一方の側部が回動自在に支持され、他方の側部と前記枠体の他方の開口側縁との間に構成したロック手段によって着脱自在に支持される扉体とを備えた幼児用安全柵において、前記扉体の他方の側部を、前記枠体の前記他方の開口側縁との間を足が挿入するに十分な間隙を形成するとともに、前記他方の開口側縁の下部に前記間隙内で上下動するペダルを設置し、該ペダルで前記ロック手段のロックを解除するようにしたことを特徴とする幼児用安全柵。
【請求項２】
前記扉体の前記他方の側部の上部に、前記間隙に延設させた膝当て板を備えたことを特徴とする請求項１に記載の幼児用安全柵。
【請求項３】
前記ロック手段が、扉体に出入自在に支持され、スプリングによって突出方向に付勢されたピンと、枠体に形成形された溝とによって構成され、前記ピンを前記ペダルに連携させてロックを解除するようにしたことを特徴とする請求項１または２に記載の幼児用安全柵。
【請求項４】
前記枠体にスライダーを設置するとともに、該スライダーにカム面を形成し、前記ペダルの操作によって前記スライダーを移動させ、該スライダーのカム面によって前記ピンを扉体に押し込むようにしたことを特徴とする請求項３に記載の幼児用安全柵。
【発明の詳細な説明】
【０００１】
【発明の属する技術分野】
本発明は、幼児用安全柵に関するものである。
【０００２】
【従来の技術】
幼児用安全柵は、幼児が危険な場所に立ち入らないように、例えば、階段の降り口，台所の出入り口，幼児室の出入り口等に設置される。
このような幼児用安全柵には、例えば、米国特許明細書第６，１７６，０４２号に開示されたものがある。この先行技術の幼児用安全柵は、中間部に開口を有し、両側部が相対向する柱等の固定物に係止される枠体と、該枠体の一方の開口側縁に一方の側部が回動自在に支持され、他方の側部と前記枠体の他方の開口側縁との間に構成したロック手段によって着脱自在に支持される扉体とを備えている。
【０００３】
【発明が解決しようとする課題】
ところで、この幼児用安全柵では、枠体の他方の開口側縁を構成する支柱に、ロックを解除するためのペダルを設置している。このペダルは柵の前面側および後面側から操作できるように、支柱から前後方向に張り出して設置されている。このような幼児用安全柵では、ペダルの操作を爪先で行うことになり、十分な操作力が得られない。十分な操作力を得ようとすると、ペダルを支柱から相当量突出させる必要があり、幼児用安全柵を設置するための十分なスペースを確保しなければならない。
【０００４】
そこで、本発明の目的は、操作性がよく、しかも設置スペースが少なくて済む幼児用安全柵を提供することにある。
【０００５】
【課題を解決するための手段】
上記目的を達成するために、本発明の幼児用安全柵は、中間部に開口を有し、両側部が相対向する柱等の固定物に係止される枠体と、該枠体の一方の開口側縁に一方の側部が回動自在に支持され、他方の側部と前記枠体の他方の開口側縁との間に構成したロック手段によって着脱自在に支持される扉体とを備えた幼児用安全柵において、前記扉体の他方の側部を、前記枠体の前記他方の開口側縁との間を足が挿入するに十分な間隙を形成するとともに、前記他方の開口側縁の下部に前記間隙内で上下動するペダルを設置し、該ペダルで前記ロック手段のロックを解除するようにしたことを特徴としている。
【０００６】
上記発明の幼児用安全柵では、ロック解除用のペダルが枠体と扉体の間に設置されているので、足の爪先をそれらの間に挿入した状態でペダルを操作することができ、したがって、十分な操作力が得られる。しかも、ペダルを安全柵の厚み方向外方へあまり突出させる必要がなく、したがって、安全柵の設置スペースが少なくて済む。
【０００７】
前記ロック手段としては、扉体に出入自在に支持させ、かつスプリングによって突出方向に付勢したピンと、枠体に形成形した溝とによって構成し、前記ピンを前記ペダルに連携させてロックを解除するようにしてもよい（請求項３）。
また、ペダルとピンとの連携態様としては、前記枠体にスライダーを設置するとともに、該スライダーにカム面を形成し、前記ペダルの操作によって前記スライダーを移動させ、該スライダーのカム面によって前記ピンを扉体に押し込むようにすることもできる（請求項４）。
【０００８】
また、本発明の幼児用安全柵は、上記発明において、前記扉体の前記他方の側部の上部に、前記間隙に延設させた膝当て板を備えたことを特徴としている。
この発明の幼児用安全柵によれば、足でロックを解除しながら、膝で扉体を押すことができるので、手を使用することなく扉体を開くことができるので、例えば、幼児を抱いた状態等の手が塞がっている場合に極めて有利である。
【０００９】
【発明の実施の形態】
図１乃至図３は本発明に係る幼児用安全柵の一実施の形態を示したもので、図１はその全体を示した概念的な斜視図、図２はその要部を示した分解斜視図、図３はその要部の動作を説明するための組立図、図４は図１におけるＡ部の断面図、図５はその枠体側を示した斜視図、図６は図１におけるＢ部の断面図、図７は図１におけるＣ部の断面図である。
【００１０】
この幼児用安全柵は、図１に示したように、枠体１０と扉体５０とによって構成されている。
【００１１】
枠体１０は、台枠１１と、該台枠からそれぞれ立設された支柱１２，１３と、それぞれの支柱１２，１３の上端に前記台枠１１と平行にそれぞれ設置された上部枠１４，１５とによって構成され、台枠１１と支柱１２，１３とによって幅方向中間部に開口１６が形成されている。
一方、扉体５０は、下部枠５１と上部枠５２とそれらに差し渡して設置された中空の支柱５３および複数本のパイプ５４とによって構成されている。
【００１２】
そして、図６に示したように、扉体５０の上部枠５２の一端に、ホルダー５５を介して軸５６を設置し、枠体１０の上部枠１４の端部にホルダー１７を設置するとともに、該ホルダー１７に孔１８を形成し、該孔１８に軸５６を落とし込み、また、図７に示したように、扉体５０の下部枠５１の一端に、ホルダー５７を介して軸５８を設置し、その軸を枠体１０の台枠１１の孔１９に落とし込むことによって、扉体５０を枠体１０に回動自在に連結させている。
また、図６に示した構造では、ホルダー５５の下面をホルダー１７の上面に当接させ、それによって扉体５０を開けた後に扉体５０が自動的に閉まるような構造としている。
【００１３】
枠体１０の支柱１３と扉体５０の側端に位置する支柱５３との間には、足を挿入するのに十分な間隙Ｌが設けられている。そして、図３に示したように、扉体５０の他側端を構成する支柱５３の下端にはピン５９が出入自在に設置され、該ピン５９はスプリング６０によって常時下方へ付勢されている。
一方、図２および図３に示したように、枠体１０の台枠１１には、スライダー２０が設置されている。このスライダー２０には、側面に水平方向に延びる長孔２１，２２と斜め方向に伸びる長孔２３が形成されている。そして、スライダー２０は、それらの長孔２１，２２に挿通させたピン２４，２５によって台枠１１に係合され、それによって台枠１１の長手方向に摺動自在に案内される。
このスライダー２０の一端部には上方に向けて開口する溝２６が形成されており、該溝２６の端部には傾斜をもったカム面２７が形成されている。また、溝２６の両側にも傾斜面２８，２８が形成されている。
【００１４】
また、上記間隙Ｌにはペダル２９が配置されている。一方、枠体１０の支柱１３の下部および台枠１１には上下方向に延びる長孔３０，３１がそれぞれ形成されている。そして、長孔３０にはペダル２９の孔３２に挿通させたピン３３が挿通され、長孔３１にはペダル２９の孔３４に挿通させたピン３５がスライダー２０の長孔２３を介して挿通され、それによってペダル２９は支柱１３に沿って上下動される。
このように構成されたペダル２９と台枠１１との間には、スプリング３６，３６が介装され、ペダル２９は常時上方へ付勢されている。また、スライダー２０の溝２６は、ピン５９の下方に位置され、該ピンが溝２６内に挿入されている。
【００１５】
この幼児用安全柵では、扉体５０のピン５９がスライダー２０の溝２６に係合して扉体５０が枠体１０にロックされる。そして、ペダル２９が足等によって下方へ操作されると、図３において、ピン３５が下方に移動され、該ピン３５がスライダー２０の長孔２３を介してスライダー２０を左方に移動させる。
スライダー２０が左方に移動されると、カム面２７がピン５９を押し上げ、ロックが解除される。
【００１６】
また、扉体５０における上部枠５２の他端には、図４に示したように、ピン６１が出入自在に支持されており、該ピンはスプリング６２によって突出方向に付勢されている。一方、枠体１０の上部枠１５の端部には、図５に示したように、溝３７が形成され、該溝３７にピン６１が挿入することによって扉体５０が枠体１０にロックされる。なお、この枠体１０では、溝３７の両側に傾斜面３８，３８が形成されている。
【００１７】
また、扉体５０の支柱５３内には、図３および図４に示したように、ロッド６３が遊嵌されている。このロッド６３の下端はスプリング６０を介してピン５９に連携されており、ロッド６３の上端には先端が半球状の凸部６４が形成されている。一方、扉体５０の上部枠５２内には、スライダー６５が配設されている。このスライダー６５は一端部にカム面６６が形成され、他端部６７がピン６１に係合されている。
そして、このスライダー６５のカム面６６はロッド６３の凸部６４に当接した状態に設置される。
【００１８】
このような構造の幼児用安全柵では、上記したように、ペダル２９を下方に操作することによってスライダー２０が左方に移動され、それによってピン５９が上動されると、該ピン５９がロッド６３の下端に当接し、該ロッド６３を押し上げる。ロッド６３が押し上げられると、該ロッドの上端はカム面６６を介して、スライダー６５を図４において左方に移動させる。スライダー６５が左方に移動されると、該スライダー６５の他端部６７に係合しているピン６１を左方に移動させ、該ピンの先端を枠体１０の溝３７から脱出させて、扉体５０と枠体１０とのロック状態を解除する。
【００１９】
また、この幼児用安全柵は、図１に示したように、扉体５０における支柱５３の上部に間隙Ｌに張り出した膝当て板６８を備えている。したがって、上記した扉体５０のロックを解除した際に、膝で膝当て板６６を押すことによって扉体５０を開くことができる。
【００２０】
また、この幼児用安全柵では、開口１６の下部縁を構成する台枠１１の部分に傾斜板３９が設置されている。この傾斜板３９は、開口１６を出入りする際に、台枠１１に躓かないように設置されるものである。
【００２１】
踏み込んでいるペダル２９を開放すると、該ペダルはスプリング３６の付勢力によって上方へ移動される。このペダル２９の上動に伴って、ピン３５を介してスライダー２０が右方へ移動される。
【００２２】
開いている扉体５０を閉成すると、扉体５０のピン５９はスライダー２０の傾斜面２８に当接され、ピン５９は該傾斜面によって支柱５３内に押し込められながら溝２６に達し、該溝に係合する。また、扉体５０のピン６１は上部枠５２の傾斜面３８（図５参照）に当接され、ピン６１は該傾斜面によって上部枠５２内に押し込められながら溝３７に達し、該溝に係合する。
【００２３】
【発明の効果】
上記発明の幼児用安全柵では、ロック解除用のペダルが枠体と扉体の間に設置されているので、足の爪先をそれらの間に挿入した状態でペダルを操作することができ、したがって、十分な操作力が得られる。しかも、ペダルを安全柵の厚み方向外方へあまり突出させる必要がなく、したがって、安全柵の設置スペースが少なくて済む。
【００２４】
また、本発明の幼児用安全柵では、膝当て板を備えているので、足でロックを解除しながら、膝で扉体を押すことができるので、手を使用することなく扉体を開くことができるので、例えば、幼児を抱いた状態等の手が塞がっている場合に極めて有利である。
【図面の簡単な説明】
【図１】本発明に係る幼児用安全柵の全体を示した概念的な斜視図である。
【図２】本発明に係る幼児用安全柵の要部である操作部を示した概念的な分解斜視図である。
【図３】図２に示した操作部の動作を説明するための組立図である。
【図４】図１におけるＡ部の断面図である。
【図５】図４における枠体側を示した斜視図である。
【図６】図１におけるＢ部の断面図である。
【図７】図１におけるＣ部の断面図である。
【符号の説明】
１０　　　枠体
１１　　　台枠
１２，１３　　　支柱
１４，１５　　　上部枠
１６　　　開口
１７　　　ホルダー
１８，１９　　　孔
２０　　　スライダー
２１，２２，２３　　　長孔
２４，２５　　　ピン
２６　　　溝
２７　　　カム面
２８　　　傾斜面
２９　　　ペダル
３０，３１　　　長孔
３２　　　孔
３３　　　ピン
３４　　　孔
３５　　　ピン
３６　　　スプリング
３７　　　溝
３８　　　傾斜面
３９　　　傾斜板
５０　　　扉体
５１　　　下部枠
５２　　　上部枠
５３　　　支柱
５４　　　パイプ
５５　　　ホルダー
５６　　　軸
５７　　　ホルダー
５８　　　軸
５９　　　ピン
６０　　　スプリング
６１　　　ピン
６２　　　スプリング
６３　　　ロッド
６４　　　凸部
６５　　　スライダー
６６　　　カム面
６７　　　他端部
６８　　　膝当て板
Ｌ　　　間隙
【図１】
2004057685.tif 000003
【図２】
2004057685.tif 000004
【図３】
2004057685.tif 000005
【図４】
2004057685.tif 000006
【図５】
2004057685.tif 000007
【図６】
2004057685.tif 000008
【図７】
2004057685.tif 000009